(57)【要約】【課題】組み立てが容易で、小型で携帯に便利であり、例えば長時間交通機関を利用するような場合に使用することができる、携帯用フットレストを提供する。【解決手段】携帯用フットレスト１は、足置き板５０、第１の側板１０、第２の側板２０、第３の側板３０、第４の側板４０、第１の耳状連結板１１０、第２の耳状連結板１２０、第３の耳状連結板１３０、及び、第４の耳状連結板１４０、第１の側板１０に取り付けられている第１の嵌合部材６１及び第８の嵌合部材６８、第１の耳状連結板１１０に取り付けられている第２の嵌合部材６２、第２の耳状連結板１２０に取り付けられている第３の嵌合部材６３、第３の側板３０に取り付けられている第４の嵌合部材６４及び第５の嵌合部材６５、第３の耳状連結板１３０に取り付けられている第６の嵌合部材６６、第４の耳状連結板１４０に取り付けられている第７の嵌合部材６７を備えている。【選択図】  図１
2007167112.tif 000002
【特許請求の範囲】
【請求項１】
携帯用フットレストであって、
（Ａ）第１の辺、第２の辺、第１の辺と対向する第３の辺、及び、第２の辺と対向する第４の辺を備えた、略矩形形状の足置き板、
（Ｂ）足置き板の第１の辺と対向する底辺、第１の側辺、及び、第１の側辺と対向する第２の側辺を備え、足置き板の第１の辺から延び、第１の辺において折り曲げ可能な、略矩形形状の第１の側板、
（Ｃ）足置き板の第２の辺と対向する底辺、足置き板の第１の辺側に位置する第１の側辺、及び、第１の側辺と対向し、第１の側辺よりも短い第２の側辺を備え、足置き板の第２の辺から延び、第２の辺において折り曲げ可能であり、該第１の側辺が下底に相当し、該第２の側辺が上底に相当する、略台形形状の第２の側板、
（Ｄ）足置き板の第３の辺と対向する底辺、第１の側辺、及び、第１の側辺と対向する第２の側辺を備え、足置き板の第３の辺から延び、第３の辺において折り曲げ可能な、略矩形形状の第３の側板、
（Ｅ）足置き板の第４の辺と対向する底辺、足置き板の第１の辺側に位置する第１の側辺、及び、第１の側辺と対向し、第１の側辺よりも短い第２の側辺を備え、足置き板の第４の辺から延び、第４の辺において折り曲げ可能であり、該第１の側辺が下底に相当し、該第２の側辺が上底に相当する、略台形形状の第４の側板、
（Ｆ）第２の側板の第１の側辺から延び、第２の側板の第１の側辺において折り曲げ可能な、第１の耳状連結板、
（Ｇ）第２の側板の第２の側辺から延び、第２の側板の第２の側辺において折り曲げ可能な、第２の耳状連結板、
（Ｈ）第４の側板の第２の側辺から延び、第４の側板の第２の側辺において折り曲げ可能な、第３の耳状連結板、
（Ｉ）第４の側板の第１の側辺から延び、第４の側板の第１の側辺において折り曲げ可能な、第４の耳状連結板、
（Ｊ）第１の側板に取り付けられている第１の嵌合部材及び第８の嵌合部材、
（Ｋ）第１の耳状連結板に取り付けられている第２の嵌合部材、
（Ｌ）第２の耳状連結板に取り付けられている第３の嵌合部材、
（Ｍ）第３の側板に取り付けられている第４の嵌合部材及び第５の嵌合部材、
（Ｎ）第３の耳状連結板に取り付けられている第６の嵌合部材、
（Ｏ）第４の耳状連結板に取り付けられている第７の嵌合部材、
を備えており、
第１の側板の第１の側辺及び第２の側辺、第２の側板の第１の側辺、第４の側板の第１の側辺の長さは略等しく、
第３の側板の第１の側辺及び第２の側辺、第２の側板の第２の側辺、第４の側板の第２の側辺の長さは略等しく、
携帯用フットレストの使用状態においては、足置き板の第１の辺、第２の辺、第３の辺及び第４の辺、第２の側板の第１の側辺及び第２の側辺、第４の側板の第１の側辺及び第２の側辺がそれぞれ山折りされると共に、第１の嵌合部材と第２の嵌合部材とが嵌合され、第３の嵌合部材と第４の嵌合部材とが嵌合され、第５の嵌合部材と第６の嵌合部材とが嵌合され、第７の嵌合部材と第８の嵌合部材とが嵌合され、
携帯用フットレストの非使用状態においては、足置き板の第２の辺及び第４の辺が谷折りされ、更に、第１の側板、足置き板、及び、第３の側板が、足置き板の第１の辺の二等分線上において谷折りされると共に、第２の嵌合部材と第７の嵌合部材とが嵌合され、第３の嵌合部材と第６の嵌合部材とが嵌合されることを特徴とする携帯用フットレスト。
【請求項２】
第１の耳状連結板の形状は、足置き板の第２の辺側に位置する上辺、第２の側板の第１の側辺と対向する外側側辺、上辺と対向する底辺を備えた略矩形形状であり、第１の耳状連結板の上辺と第１の耳状連結板の外側側辺とから成る角部は丸みを帯びており、
第４の耳状連結板の形状は、足置き板の第４の辺側に位置する上辺、第４の側板の第１の側辺と対向する外側側辺、上辺と対向する底辺を備えた略矩形形状であり、第４の耳状連結板の上辺と第４の耳状連結板の外側側辺とから成る角部は丸みを帯びていることを特徴とする請求項１に記載の携帯用フットレスト。
【請求項３】
第１の側板の底辺と第１の側板の第２の側辺とから成る角部の形状と、第１の耳状連結板の上辺と第１の耳状連結板の外側側辺とから成る角部の形状とは、足置き板の第２の辺を対称軸とする線対称な形状であり、
第１の側板の底辺と第１の側板の第１の側辺とから成る角部の形状と、第４の耳状連結板の上辺と第４の耳状連結板の外側側辺とから成る角部の形状とは、足置き板の第４の辺を対称軸とする線対称な形状であり、
第１の側板の底辺と第１の側板の第２の側辺とから成る角部の形状と、第１の側板の底辺と第１の側板の第１の側辺とから成る角部の形状とは、足置き板の第１の辺の二等分線を対称軸とする線対称な形状であることを特徴とする請求項１又は請求項２に記載の携帯用フットレスト。
【請求項４】
足置き板、第１の側板、第２の側板、第３の側板、第４の側板、第１の耳状連結板、第２の耳状連結板、第３の耳状連結板、及び、第４の耳状連結板は、樹脂材料から一体として作製されていることを特徴とする請求項１乃至請求項３のいずれか１項に記載の携帯用フットレスト。
【請求項５】
樹脂材料は発泡ポリプロピレンであることを特徴とする請求項４に記載の携帯用フットレスト。
【請求項６】
足置き板の第２の辺、及び、第４の辺には、断面がＶ字形の溝が形成されていることを特徴とする請求項１乃至請求項５のいずれか１項に記載の携帯用フットレスト。
【請求項７】
第１の側板、足置き板、及び、第３の側板には、断面がＶ字形の第１の溝及び断面がＶ字形の第２の溝が形成されており、第１の溝及び第２の溝は足置き板の第１の辺の二等分線と平行に延びると共に、第１の溝と第２の溝とは足置き板の第１の辺の二等分線を対称軸として線対称な位置に配置されており、第１の溝と第２の溝により第１の側板、足置き板、及び、第３の側板が、足置き板の第１の辺の二等分線上において谷折りされることを特徴とする請求項１乃至請求項６のいずれか１項に記載の携帯用フットレスト。
【発明の詳細な説明】
【技術分野】
【０００１】
本発明は、座席に着席したときに足を置いて楽な姿勢をとることができる、携帯用のフットレストに関する。
【背景技術】
【０００２】
例えば鉄道や航空機、自動車等の交通機関において、フットレストが取り付けられていない座席に着席する場合、乗客は足を床面に置いたり、あるいは、足を組む等の姿勢を取る。一般に、このような姿勢で長時間着席すると疲労が大きい。このため、従来より、携帯用のフットレストが提案されている（例えば、実開平１−１６１９４３号公報参照）。
【特許文献１】実開平１−１６１９４３号公報
【発明の開示】
【発明が解決しようとする課題】
【０００３】
しかしながら、従来のフットレストは携帯時の形状が比較的大きく、小型、軽量なものが求められている。
【０００４】
本発明はこのような状況に鑑みてなされたもので、組み立てが容易で、小型、軽量で携帯に便利であり、例えば長時間、交通機関を利用するような場合に使用することができる、携帯用フットレストを提供することを課題とする。
【課題を解決するための手段】
【０００５】
上記の目的を達成するための本発明の携帯用フットレストは、
（Ａ）第１の辺、第２の辺、第１の辺と対向する第３の辺、及び、第２の辺と対向する第４の辺を備えた、略矩形形状の足置き板、
（Ｂ）足置き板の第１の辺と対向する底辺、第１の側辺、及び、第１の側辺と対向する第２の側辺を備え、足置き板の第１の辺から延び、第１の辺において折り曲げ可能な、略矩形形状の第１の側板、
（Ｃ）足置き板の第２の辺と対向する底辺、足置き板の第１の辺側に位置する第１の側辺、及び、第１の側辺と対向し、第１の側辺よりも短い第２の側辺を備え、足置き板の第２の辺から延び、第２の辺において折り曲げ可能であり、該第１の側辺が下底に相当し、該第２の側辺が上底に相当する、略台形形状の第２の側板、
（Ｄ）足置き板の第３の辺と対向する底辺、第１の側辺、及び、第１の側辺と対向する第２の側辺を備え、足置き板の第３の辺から延び、第３の辺において折り曲げ可能な、略矩形形状の第３の側板、
（Ｅ）足置き板の第４の辺と対向する底辺、足置き板の第１の辺側に位置する第１の側辺、及び、第１の側辺と対向し、第１の側辺よりも短い第２の側辺を備え、足置き板の第４の辺から延び、第４の辺において折り曲げ可能であり、該第１の側辺が下底に相当し、該第２の側辺が上底に相当する、略台形形状の第４の側板、
（Ｆ）第２の側板の第１の側辺から延び、第２の側板の第１の側辺において折り曲げ可能な、第１の耳状連結板、
（Ｇ）第２の側板の第２の側辺から延び、第２の側板の第２の側辺において折り曲げ可能な、第２の耳状連結板、
（Ｈ）第４の側板の第２の側辺から延び、第４の側板の第２の側辺において折り曲げ可能な、第３の耳状連結板、
（Ｉ）第４の側板の第１の側辺から延び、第４の側板の第１の側辺において折り曲げ可能な、第４の耳状連結板、
（Ｊ）第１の側板に取り付けられている第１の嵌合部材及び第８の嵌合部材、
（Ｋ）第１の耳状連結板に取り付けられている第２の嵌合部材、
（Ｌ）第２の耳状連結板に取り付けられている第３の嵌合部材、
（Ｍ）第３の側板に取り付けられている第４の嵌合部材及び第５の嵌合部材、
（Ｎ）第３の耳状連結板に取り付けられている第６の嵌合部材、
（Ｏ）第４の耳状連結板に取り付けられている第７の嵌合部材、
を備えており、
第１の側板の第１の側辺及び第２の側辺、第２の側板の第１の側辺、第４の側板の第１の側辺の長さは略等しく、
第３の側板の第１の側辺及び第２の側辺、第２の側板の第２の側辺、第４の側板の第２の側辺の長さは略等しく、
携帯用フットレストの使用状態においては、足置き板の第１の辺、第２の辺、第３の辺及び第４の辺、第２の側板の第１の側辺及び第２の側辺、第４の側板の第１の側辺及び第２の側辺がそれぞれ山折りされると共に、第１の嵌合部材と第２の嵌合部材とが嵌合され、第３の嵌合部材と第４の嵌合部材とが嵌合され、第５の嵌合部材と第６の嵌合部材とが嵌合され、第７の嵌合部材と第８の嵌合部材とが嵌合され、
携帯用フットレストの非使用状態においては、足置き板の第２の辺及び第４の辺が谷折りされ、更に、第１の側板、足置き板、及び、第３の側板が、足置き板の第１の辺の二等分線上において谷折りされると共に、第２の嵌合部材と第７の嵌合部材とが嵌合され、第３の嵌合部材と第６の嵌合部材とが嵌合されることを特徴とする。
【０００６】
本発明の携帯用フットレスト（以下、単に、本発明と呼ぶ場合がある）によれば、携帯用フットレストの使用状態においては、足置き板の第１の辺、第２の辺、第３の辺及び第４の辺、第２の側板の第１の側辺及び第２の側辺、第４の側板の第１の側辺及び第２の側辺をそれぞれ山折りとすると共に、第１の嵌合部材と第２の嵌合部材とを嵌合し、第３の嵌合部材と第４の嵌合部材とを嵌合し、第５の嵌合部材と第６の嵌合部材とを嵌合し、第７の嵌合部材と第８の嵌合部材とを嵌合する。側板の上から耳状連結板が重なる態様であってもよいし、耳状連結板の上から側板が重なる態様であってもよい。これにより、下面が開放した箱状のフットレストを容易に組み立てることができる。尚、山折りの際の便宜のために、第１の側板と第１の耳状連結板との間、第３の側板と第２の耳状連結板との間、第３の側板と第３の耳状連結板との間、第１の側板と第４の耳状連結板との間に間隙を設けてもよい。これらの間隙の幅は、携帯用フットレストの大きさや材質に応じて適宜設定することができる。
【０００７】
また、携帯用フットレストの非使用状態においては、足置き板の第２の辺及び第４の辺を谷折りした後、第１の側板、足置き板、及び、第３の側板を、足置き板の第１の辺の二等分線上において谷折りとすると共に、第２の嵌合部材と第７の嵌合部材とを嵌合し、第３の嵌合部材と第６の嵌合部材とを嵌合する。これにより、携帯用フットレストの非使用状態には、箱状のフットレストを展開した平面形状の大きさの約１／４程度の四つ折り状態に折り畳むことができる。また、第２の嵌合部材と第７の嵌合部材とを嵌合し、第３の嵌合部材と第６の嵌合部材とを嵌合するので、折り畳み状態を確実に保持させることができ、携帯するのに極めて便利である。また、嵌合は、同一の構成の嵌合部材が対を成して嵌合する態様（例えば、弾性を有するフックが相互に嵌合する態様）であってもよいし、異なる構成の嵌合部材が対を成して嵌合する態様（例えば、先端部を有する止め具と、止め具の先端部を収納する収納部を有するボタンとが対向して嵌合する態様）であってもよい。尚、異なる構成の嵌合部材を用いる場合には、携帯用フットレストの非使用状態における嵌合を確保するために、第２の嵌合部材と第７の嵌合部材とが対を成すと共に、第３の嵌合部材と第６の嵌合部材とが対を成すように、これらの嵌合部材を取り付ける必要がある。本発明に用いる嵌合部材として、面ファスナー、スナップファスナーを例示することができる。
【０００８】
ここで、本発明の携帯用フットレストにあっては、第１の耳状連結板の形状は、足置き板の第２の辺側に位置する上辺、第２の側板の第１の側辺と対向する外側側辺、上辺と対向する底辺を備えた略矩形形状であり、第１の耳状連結板の上辺と第１の耳状連結板の外側側辺とから成る角部は丸みを帯びており、第４の耳状連結板の形状は、足置き板の第４の辺側に位置する上辺、第４の側板の第１の側辺と対向する外側側辺、上辺と対向する底辺を備えた略矩形形状であり、第４の耳状連結板の上辺と第４の耳状連結板の外側側辺とから成る角部は丸みを帯びている構成とすることができる。この構成にあっては、これらの角部は丸みを帯びているので、携帯用フットレストに足を置いた際に、これらの角部と靴下等を構成する繊維との引っかかりの発生を低減することができる。
【０００９】
このような構成を含む本発明の携帯用フットレストにおいて、第１の側板の底辺と第１の側板の第２の側辺とから成る角部の形状と、第１の耳状連結板の上辺と第１の耳状連結板の外側側辺とから成る角部の形状とは、足置き板の第２の辺を対称軸とする線対称な形状（換言すれば、鏡像関係の形状）であり、第１の側板の底辺と第１の側板の第１の側辺とから成る角部の形状と、第４の耳状連結板の上辺と第４の耳状連結板の外側側辺とから成る角部の形状とは、足置き板の第４の辺を対称軸とする線対称な形状であり、第１の側板の底辺と第１の側板の第２の側辺とから成る角部の形状と、第１の側板の底辺と第１の側板の第１の側辺とから成る角部の形状とは、足置き板の第１の辺の二等分線を対称軸とする線対称な形状である構成とすることができる。これにより、携帯用フットレストの非使用状態（以下、携帯用フットレストの折り畳み状態と称する場合がある）における面積をより小さいものとすることができる。尚、ここで「線対称な形状」とは、数学的に厳密に対称性を保つことは要求されず、製造時のばらつき等は許容する趣旨である。例えば、角部の射影像の縁に数ｍｍ（例えば５ｍｍ）程度のずれがある場合も、「線対称な形状」に包含される。
【００１０】
更には、上述した好ましい構成を含む本発明の携帯用フットレストにあっては、足置き板、第１の側板、第２の側板、第３の側板、第４の側板、第１の耳状連結板、第２の耳状連結板、第３の耳状連結板、及び、第４の耳状連結板を構成する材料として、木材、金属材料、樹脂材料を例示することができるが、中でも、樹脂材料は軽量化や量産性の観点から好ましい。足置き板、第１の側板、第２の側板、第３の側板、第４の側板、第１の耳状連結板、第２の耳状連結板、第３の耳状連結板、及び、第４の耳状連結板は、中実構造であってもよいし、中空構造であってもよい。樹脂材料を用いる場合には、足置き板、第１の側板、第２の側板、第３の側板、第４の側板、第１の耳状連結板、第２の耳状連結板、第３の耳状連結板、及び、第４の耳状連結板は、樹脂材料から一体として作製されている構成とすることができ、この場合、樹脂材料を、例えば発泡ポリプロピレンとすることができる。発泡ポリプロピレンは耐候性、耐久性に優れ、適度な弾性をも示すので好ましい。
【００１１】
更には、以上に説明した好ましい構成を含む本発明の携帯用フットレストにおいて、足置き板における第２の辺、及び、第４の辺には、断面がＶ字形の溝が形成されている構成とすることもできる。これにより、第２の側板と第４の側板の折り畳みが容易となる。樹脂材料を用いる場合には、熱処理により断面がＶ字形の溝を形成することもできる。例えば、断面がＶ字形の部材を加熱し、それを所定の部分に押しつけることにより、断面がＶ字形の溝を形成することができる。後述する第１の溝及び第２の溝についても同様である。更には、上述した好ましい構成を含む本発明の携帯用フットレストにおいて、第１の側板、足置き板、及び、第３の側板には、断面がＶ字形の第１の溝及び断面がＶ字形の第２の溝が形成されており、第１の溝及び第２の溝は足置き板の第１の辺の二等分線と平行に延びると共に、第１の溝と第２の溝とは足置き板の第１の辺の二等分線を対称軸として線対称な位置に配置されており、第１の溝と第２の溝により第１の側板、足置き板、及び、第３の側板を、足置き板の第１の辺の二等分線上において谷折りとする構成とすることができる。この構成においては、第１の側板、足置き板、及び、第３の側板を、足置き板の第１の辺の二等分線上において容易に谷折りすることができ、携帯用フットレストの折り畳み状態において、第１の溝と第２の溝との間に、第２の側板及び第４の側板が配置される。従って、第１の溝と第２の溝との間隔を適宜設定することにより、携帯用フットレストの折り畳みをより容易に行うことが可能となる。
【発明の効果】
【００１２】
本発明によれば、小型、軽量で携帯に便利であり、組み立ても容易な携帯用フットレストを得ることができる。
【発明を実施するための最良の形態】
【００１３】
以下、図面を参照して、実施例に基づき本発明を説明する。
【実施例１】
【００１４】
実施例１は、本発明の携帯用フットレストに関する。図１の（Ａ）は、実施例１の携帯用フットレスト１を展開した状態において、足置き板５０の足が触れる面側（以下、後述する実施例２を含めて、おもて面側と呼ぶ場合がある）を図示した平面図であり、図１の（Ｂ）は、図１の（Ａ）の矢印Ａから眺めたときの側面図であり、図１の（Ｃ）は、図１の（Ａ）の矢印Ｂから眺めたときの側面図である。図２は、実施例１の携帯用フットレスト１を展開した状態の、図１の（Ａ）で示した面の反対側（以下、裏面側と呼ぶ場合がある）を示した平面図である。
【００１５】
実施例１の携帯用フットレスト１は、
（Ａ）第１の辺５１、第２の辺５２、第１の辺５１と対向する第３の辺５３、及び、第２の辺５２と対向する第４の辺５４を備えた、略矩形形状の足置き板５０、
（Ｂ）足置き板５０の第１の辺５１と対向する底辺１３、第１の側辺１１、及び、第１の側辺１１と対向する第２の側辺１２を備え、足置き板５０の第１の辺５１から延び、第１の辺５１において折り曲げ可能な、略矩形形状の第１の側板１０、
（Ｃ）足置き板５０の第２の辺５２と対向する底辺２３、足置き板の第１の辺５１側に位置する第１の側辺２１、及び、第１の側辺２１と対向し、第１の側辺２１よりも短い第２の側辺２２を備え、足置き板５０の第２の辺５２から延び、第２の辺５２において折り曲げ可能であり、該第１の側辺２１が下底に相当し、該第２の側辺２２が上底に相当する、略台形形状の第２の側板２０、
（Ｄ）足置き板５０の第３の辺５３と対向する底辺３３、第１の側辺３１、及び、第１の側辺３１と対向する第２の側辺３２を備え、足置き板５０の第３の辺５３から延び、第３の辺５３において折り曲げ可能な、略矩形形状の第３の側板３０、
（Ｅ）足置き板５０の第４の辺５４と対向する底辺４３、足置き板５０の第１の辺５１側に位置する第１の側辺４１、及び、第１の側辺４１と対向し、第１の側辺４１よりも短い第２の側辺４２を備え、足置き板５０の第４の辺５４から延び、第４の辺５４において折り曲げ可能であり、該第１の側辺４１が下底に相当し、該第２の側辺４２が上底に相当する、略台形形状の第４の側板４０、
（Ｆ）第２の側板２０の第１の側辺２１から延び、第２の側板２０の第１の側辺２１において折り曲げ可能な、第１の耳状連結板１１０、
（Ｇ）第２の側板２０の第２の側辺２２から延び、第２の側板２０の第２の側辺２２において折り曲げ可能な、第２の耳状連結板１２０、
（Ｈ）第４の側板４０の第２の側辺４２から延び、第４の側板４０の第２の側辺４２において折り曲げ可能な、第３の耳状連結板１３０、
（Ｉ）第４の側板４０の第１の側辺４１から延び、第４の側板４０の第１の側辺４１において折り曲げ可能な、第４の耳状連結板１４０、
（Ｊ）第１の側板１０に取り付けられている第１の嵌合部材６１及び第８の嵌合部材６８、
（Ｋ）第１の耳状連結板１１０に取り付けられている第２の嵌合部材６２、
（Ｌ）第２の耳状連結板１２０に取り付けられている第３の嵌合部材６３、
（Ｍ）第３の側板３０に取り付けられている第４の嵌合部材６４及び第５の嵌合部材６５、
（Ｎ）第３の耳状連結板１３０に取り付けられている第６の嵌合部材６６、
（Ｏ）第４の耳状連結板１４０に取り付けられている第７の嵌合部材６７、
を備えている。そして、実施例１の携帯用フットレスト１は、第１の側板１０の第１の側辺１１及び第２の側辺１２、第２の側板２０の第１の側辺２１、第４の側板４０の第１の側辺４１の長さは略等しい。また、第３の側板３０の第１の側辺３１及び第２の側辺３２、第２の側板２０の第２の側辺２２、第４の側板４０の第２の側辺４２の長さは略等しい。
【００１６】
実施例１の携帯用フットレスト１において、足置き板５０、第１の側板１０、第２の側板２０、第３の側板３０、第４の側板４０、第１の耳状連結板１１０、第２の耳状連結板１２０、第３の耳状連結板１３０、及び、第４の耳状連結板１４０は、樹脂材料から一体として作製されている。より具体的には、樹脂材料は発泡ポリプロピレンであり、これらの板の厚さは約４ｍｍである。また、実施例１では、足置き板５０の第１の辺５１及び第３の辺５３の長さを約２０ｃｍ、第２の辺５２及び第４の辺５４の長さを約１０ｃｍ、第１の側板１０の第１の側辺１１及び第２の側辺１２の長さを約７ｃｍ、第３の側板３０の第１の側辺３１及び第２の側辺３２の長さを約３．５ｃｍとしたが、これに限るものではない。
【００１７】
実施例１では、異なる構成の嵌合部材が対を成す嵌合部材を用いる。より具体的には、先端部６０を有する止め具と、収納部６９を備えるボタンが対を成すスナップファスナーを用いる。実施例１では、第１の嵌合部材６１、第４の嵌合部材６４、第６の嵌合部材６６、及び、第７の嵌合部材６７は止め具から成る。第２の嵌合部材６２、第３の嵌合部材６３、第５の嵌合部材６５、及び、第８の嵌合部材６８はボタンから成る。図１に示すように、第１の嵌合部材６１及び第４の嵌合部材６４は、先端部６０がおもて面側になるように取り付けられており、第６の嵌合部材６６及び第７の嵌合部材６７は、先端部６０が裏面側になるように取り付けられている。また、第２の嵌合部材６２及び第３の嵌合部材６３は、収納部６９が裏面側になるように取り付けられており、第５の嵌合部材６５及び第８の嵌合部材６８は、収納部６９ががおもて面側になるように取り付けられている。尚、止め具とボタンとを入れ替えた態様とすることもできるし、先端部６０及び収納部６９の向く面を入れ替えた態様とすることもできる。
【００１８】
図１及び図２に示すように、足置き板の第２の辺５２、及び、第４の辺５４には、断面がＶ字形の溝７１，７２が形成されている。実施例１では、断面がＶ字形の加熱された金属製の治具を、裏面側から第２の辺５２及び第４の辺５４に沿って押しつけることにより、断面がＶ字形の溝７１，７２を形成した。これにより、おもて面側から見たときの第２の辺５２、及び、第４の辺５４の山折りの角度が略直角に規制されるので、携帯用フットレスト１を組み立てた際の強度が向上する。一方、おもて面側から見たときの第２の辺５２、及び、第４の辺５４の谷折りの角度は拡大するので、携帯用フットレスト１の折り畳みが容易なものとなる。
【００１９】
また、図１及び図２に示すように、第１の側板１０、足置き板５０、及び、第３の側板３０には、断面がＶ字形の第１の溝７３及び断面がＶ字形の第２の溝７４が形成されている。第１の溝７３及び第２の溝７４は足置き板５０の第１の辺５１の二等分線と平行に延びる。そして、第１の溝７３と第２の溝７４とは足置き板５０の第１の辺５１の二等分線を対称軸として線対称な位置に配置されている。第１の溝７３及び第２の溝７４についても、前述したと同様に、断面がＶ字形の加熱された金属製の治具を用いることにより形成した。これらの溝により、後述する携帯用フットレスト１の非使用状態において第１の側板１０、足置き板５０、及び、第３の側板３０を、足置き板５０の第１の辺５１の二等分線上において容易に谷折りをすることができる。尚、実施例１では、第１の溝７３と第２の溝７４との間（より具体的には、溝７３の一番深い部分と溝７４の一番深い部分との間）を、約１０ｍｍに設定した。
【００２０】
携帯用フットレスト１の使用状態について説明する。図１のおもて面側から見て、足置き板５０の第１の辺５１、第２の辺５２、第３の辺５３及び第４の辺５４、第２の側板２０の第１の側辺２１及び第２の側辺２２、第４の側板４０の第１の側辺４１及び第２の側辺４２をそれぞれ山折りとする。尚、実施例１においては、山折りの際の便宜のために、図１に示すように第１の側板１０と第１の耳状連結板１１０との間、第３の側板３０と第２の耳状連結板１２０との間、第３の側板３０と第３の耳状連結板１３０との間、第１の側板１０と第４の耳状連結板１４０との間に間隙を設けた。その後、第１の嵌合部材６１と第２の嵌合部材６２とを嵌合し、第３の嵌合部材６３と第４の嵌合部材６４とを嵌合し、第５の嵌合部材６５と第６の嵌合部材６６とを嵌合し、第７の嵌合部材６７と第８の嵌合部材６８とを嵌合する。これにより、下面が開放した箱状の携帯用フットレスト１を組み立てることができる。図３の（Ａ）及び（Ｂ）は、組み立て状態における携帯用フットレスト１の斜視図である。図４は、携帯用フットレスト１の使用状態を示した参考図である。図４に示すように、足置き板の第１の辺５１側がつま先側となり、第３の辺５３側がかかと側となる。
【００２１】
次いで、携帯用フットレスト１の非使用状態について説明する。図１のおもて面側から見て、足置き板５０の第２の辺５２及び第４の辺５４を谷折りする。次いで、第１の側板１０、足置き板５０、及び、第３の側板３０を、足置き板５０の第１の辺５１の二等分線上において谷折りとする。より具体的には、第１の溝７３及び第２の溝７４の部分で谷折りとする。そして、第２の嵌合部材６２と第７の嵌合部材６７とを嵌合し、第３の嵌合部材６３と第６の嵌合部材６６とを嵌合する。これにより、携帯用フットレスト１を、図１の平面形状の大きさの約１／４程度の四つ折り状態に折り畳むことができる。図５は、非使用状態における携帯用フットレスト１の斜視図を示す。実施例１では、第１の溝７３と第２の溝７４との間は約１０ｍｍに設定されており、第２の側板２０及び第４の側板４０は溝７２と第２の溝７４との間に余裕をもって配置される。これにより、折り畳みをより容易に行うことができる。
【実施例２】
【００２２】
実施例２は実施例１の変形である。実施例１と比べて、第１の耳状連結板の形状、第４の耳状連結板の形状、及び、第１の側板の形状が相違する。その他の構成、基本的な動作、及び、作用については実施例１で説明したと同様であるので説明を省略する。
【００２３】
図６は、実施例１の図１の（Ａ）と同様に、実施例２の携帯用フットレスト２を展開した状態において、おもて面側を図示した平面図である。図７の（Ａ）及び（Ｂ）は、組み立て状態における携帯用フットレスト２の斜視図である。図８は、非使用状態における携帯用フットレスト２の斜視図である。以下、図６、図７、及び、図８を参照して実施例２の携帯用フットレスト２について説明する。
【００２４】
実施例２の携帯用フットレスト２では、第１の耳状連結板１１０の形状は、足置き板５０の第２の辺５２側に位置する上辺１１１、第２の側板２０の第１の側辺２１と対向する外側側辺１１２、上辺１１１と対向する底辺１１３を備えた略矩形形状である。そして、第１の耳状連結板１１０の上辺１１１と第１の耳状連結板１１０の外側側辺１１２とから成る角部は丸みを帯びている。第４の耳状連結板１４０の形状は、足置き板５０の第４の辺側５４に位置する上辺１４１、第４の側板４０の第１の側辺４１と対向する外側側辺１４２、上辺１４１と対向する底辺１４３を備えた略矩形形状である。そして、第４の耳状連結板１４０の上辺１４１と第４の耳状連結板１４０の外側側辺１４２とから成る角部は丸みを帯びている。
【００２５】
そして、実施例２の携帯用フットレスト２では、第１の側板１０の底辺１３と第１の側板１０の第２の側辺１２とから成る角部の形状と、第１の耳状連結板１１０の上辺１１１と第１の耳状連結板１１０の外側側辺１１２とから成る角部の形状とは、足置き板５０の第２の辺５２を対称軸とする線対称な形状（換言すれば、鏡像関係の形状）である。具体的には、第１の側板１０の底辺１３と第２の側辺１２とから成る角部も丸みを帯びた形状である。また、第１の側板１０の底辺１３と第１の側板１０の第１の側辺１１とから成る角部の形状と、第４の耳状連結板１４０の上辺１４１と第４の耳状連結板１４０の外側側辺１４２とから成る角部の形状とは、足置き板５０の第４の辺５４を対称軸とする線対称な形状である。具体的には、第１の側板１０の底辺１３と第１の側辺１１とから成る角部も丸みを帯びた形状である。そして、第１の側板１０の底辺１３と第１の側板１０の第２の側辺１２とから成る角部の形状と、第１の側板１０の底辺１３と第１の側板１０の第１の側辺１１とから成る角部の形状とは、足置き板５０の第１の辺５１の二等分線を対称軸とする線対称な形状（換言すれば、鏡像関係の形状）である。
【００２６】
実施例２の携帯用フットレスト２の使用状態について説明する。実施例１で説明したと同様の手順により、下面が開放した箱状の携帯用フットレスト２を組み立てることができる。図７の（Ａ）及び（Ｂ）は、組み立て状態における携帯用フットレスト２の斜視図である。図７の（Ａ）に示すように、組み立て状態における携帯用フットレスト２では、第１の耳状連結板１１０の上辺１１１と第１の耳状連結板１１０の外側側辺１１２とから成る角部と、第４の耳状連結板１４０の上辺１４１と第４の耳状連結板１４０の外側側辺１４２とから成る角部は、第１の側板の端部（換言すれば、足置き板５０の第１の辺５１）よりも引き込まれている。従って、携帯用フットレストに足を置いた際に、これらの角部と靴下等を構成する繊維との引っかかりの発生を低減することができる。
【００２７】
次いで、携帯用フットレスト２の非使用状態について説明する。実施例１で説明したと同様の手順により、携帯用フットレスト２を、図６の平面形状の大きさの約１／４程度の四つ折り状態に折り畳むことができる。実施例２においては、第１の耳状連結板１１０の丸みを帯びた角部、第２の耳状連結板１１０の丸みを帯びた角部、第１の側板１０の丸みを帯びた角部は折り畳む際の軸について対称の形状となっている。従って、図８に示すように、これらの角部は同じ位置に並ぶ。従って、折り畳み状態における面積をより小さくすることができる。
【００２８】
以上、本発明を好ましい実施例に基づき説明したが、本発明はこれらの実施例に限定されるものではない。実施例にて説明した携帯用フットレストの構成、構造、材料は例示であり、適宜変更することができる。
【００２９】
携帯用フットレストを使用する際には、足によりつま先方向への力が加わる。そこで、第２の側板と第４の側板の底辺の部分に、ゴムテープ等から成る滑り止め部材を設けてもよい。
【図面の簡単な説明】
【００３０】
【図１】図１の（Ａ）は、実施例１の携帯用フットレストを展開した状態において、おもて面側を図示した平面図であり、図１の（Ｂ）は、図１の（Ａ）の矢印Ａから眺めたときの側面図であり、図１の（Ｃ）は、図１の（Ａ）の矢印Ｂから眺めたときの側面図である。
【図２】図２は、実施例１の携帯用フットレストを展開した状態の裏面側を示した平面図である。
【図３】図３の（Ａ）及び（Ｂ）は、組み立て状態における携帯用フットレストの斜視図である。
【図４】図４は、携帯用フットレストの使用状態を示した参考図である。
【図５】図５は、非使用状態における携帯用フットレストの斜視図である。
【図６】図６は、実施例２の携帯用フットレストを展開した状態において、おもて面側を図示した平面図である。
【図７】図７の（Ａ）及び（Ｂ）は、組み立て状態における携帯用フットレストの斜視図である。
【図８】図８は、非使用状態における携帯用フットレストの斜視図である。
【符号の説明】
【００３１】
１・・・携帯用フットレスト、２・・・携帯用フットレスト、１０・・・第１の側板、１１・・・第１の側辺、１２・・・第２の側辺、１３・・・底辺、２０・・・第２の側板、２１・・・第１の側辺、２２・・・第２の側辺、２３・・・底辺、３０・・・第３の側板、３１・・・第１の側辺、３２・・・第２の側辺、３３・・・底辺、４０・・・第４の側板、４１・・・第１の側辺、４２・・・第２の側辺、４３・・・底辺、５０・・・足置き板、５１・・・第１の辺、５２・・・第２の辺、５３・・・第３の辺、５４・・・第４の辺、６０・・・先端部、６１・・・第１の嵌合部材、６２・・・第２の嵌合部材、６３・・・第３の嵌合部材、６４・・・第４の嵌合部材、６５・・・第５の嵌合部材、６６・・・第６の嵌合部材、６７・・・第７の嵌合部材、６８・・・第８の嵌合部材、６９・・・第９の収納部、７１・・・溝、７２・・・溝、７３・・・第１の溝、７４・・・第２の溝、１１０・・・第１の耳状連結板、１１１・・・上辺、１１２・・・外側側辺１１３・・・底辺、１２０・・・第２の耳状連結板、１３０・・・第３の耳状連結板、１４０・・・第４の耳状連結板、１４１・・・上辺、１４２・・・外側側辺、１４３・・・底辺
【図１】
2007167112.tif 000003
【図２】
2007167112.tif 000004
【図３】
2007167112.tif 000005
【図４】
2007167112.tif 000006
【図５】
2007167112.tif 000007
【図６】
2007167112.tif 000008
【図７】
2007167112.tif 000009
【図８】
2007167112.tif 000010